(57)【要約】【課題】端子と当該端子に電気的に接続される相手側の端子との間に異物が噛み込まれることを抑制できるコネクタを提供する。【解決手段】第１コネクタ４１は第１中心軸線Ｌ１を有する第１ハウジング５０を有する。第１ハウジング５０に保持された端子８０，１００は、ベース部８１，１０１及びベース部８１，１０１から接続方向Ｚ１と反対側に延び第１中心軸線Ｌ１の周囲に配置された接触部８２，１０２を有する。接触部８２，１０２は、第１中心軸線Ｌ１側を向き第２コネクタが備える相手側端子１６０，１８０に接触する接点部８６，１０６を有するとともに、接点部８６，１０６と第１中心軸線Ｌ１との間の間隔が変化するように弾性変形可能である。また、接触部８２，１０２は、第１及び第２コネクタ４１，４２が接続されていない未接続状態のときに接触部８２，１０２の基端よりも接点部８６，１０６が第１中心軸線Ｌ１に近づくように傾斜している。【選択図】図１
2020149852.tif 000002
【特許請求の範囲】
【請求項１】
電動装置及び前記電動装置に対して着脱可能なバッテリの何れか一方に電気的に接続され、前記電動装置及び前記バッテリの何れか他方に電気的に接続される相手側コネクタと電気的に接続されることにより前記電動装置と前記バッテリとを電気的に接続するコネクタであって、
前記コネクタと前記相手側コネクタとの接続方向に延びる中心軸線を有するハウジングと、
前記電動装置及び前記バッテリの何れか一方に電気的に接続される接続部材が接続されるベース部及び前記ベース部と一体に設けられ前記ベース部から前記接続方向と反対側に延び前記中心軸線の周囲に配置された接触部を有し前記ハウジングに保持された端子と、
を備え、
前記接触部は、前記中心軸線側を向き前記相手側コネクタが備える相手側端子に接触する接点部を有するとともに、前記接点部と前記中心軸線との間の間隔が変化するように弾性変形可能であり、前記コネクタと前記相手側コネクタとが接続されていない未接続状態のときに前記接触部の基端よりも前記接点部が前記中心軸線に近づくように傾斜しているコネクタ。
【請求項２】
前記端子は、前記接触部を複数有する請求項１に記載のコネクタ。
【請求項３】
前記端子は、前記中心軸線の周方向に並ぶ複数の前記接触部を有する第１端子と、前記第１端子の前記接触部よりも内側で前記中心軸線の周方向に並ぶ複数の前記接触部を有する第２端子との２種類ある請求項２に記載のコネクタ。
【請求項４】
前記ハウジングは、前記中心軸線と平行に延び前記第１端子の前記接触部の外周に配置された第１壁部と、前記中心軸線と平行に延び前記第１端子の前記接触部と前記第２端子の前記接触部との間に配置された第２壁部とを有する請求項３に記載のコネクタ。
【請求項５】
前記第１壁部と前記第２壁部とは前記中心軸線を中心とした同心の筒状をなす請求項４に記載のコネクタ。
【請求項６】
前記接点部は、前記接触部の先端から前記接触部の基端側に寄った位置に設けられ、
前記接触部は、前記接触部における前記接点部よりも先端側の部分に、前記接点部から前記接触部の先端に向かうにつれて前記中心軸線から遠ざかるように傾斜した導入部を有する請求項１から請求項５の何れか１項に記載のコネクタ。
【請求項７】
前記接点部は、前記相手側端子に接触した状態のときに前記中心軸線と平行に延びる請求項１から請求項６の何れか１項に記載のコネクタ。
【請求項８】
前記接触部は、前記中心軸線の周方向から見て前記中心軸線側に膨らむ円弧面を有し、
前記接点部は、前記円弧面上に位置する請求項１から請求項６の何れか１項に記載のコネクタ。
【請求項９】
電動装置及び前記電動装置に対して着脱可能なバッテリの何れか一方に電気的に接続されるコネクタと、前記電動装置及び前記バッテリの何れか他方に電気的に接続され前記コネクタに着脱可能に接続される相手側コネクタとを備えたコネクタ装置であって、
前記コネクタは、前記コネクタと前記相手側コネクタとの接続方向に延びる第１中心軸線を有する第１ハウジングと、前記電動装置及び前記バッテリの何れか一方に電気的に接続される接続部材が接続されるベース部及び前記ベース部と一体に設けられ前記ベース部から前記接続方向と反対側に延び前記第１中心軸線の周囲に配置された接触部を有し前記第１ハウジングに保持された端子とを備え、
前記相手側コネクタは、前記接続方向に延びる第２中心軸線を有する第２ハウジングと、前記電動装置及び前記バッテリの何れか他方に電気的に接続されるものであり前記第２ハウジングに保持された相手側端子とを備え、
前記接触部は、前記第１中心軸線側を向き前記相手側端子に接触する接点部を有するとともに、前記接点部と前記第１中心軸線との間の間隔が変化するように弾性変形可能であり、前記コネクタと前記相手側コネクタとが接続されていない未接続状態のときに前記接触部の基端よりも前記接点部が前記第１中心軸線に近づくように傾斜しており、
前記相手側端子は、前記コネクタと前記相手側コネクタとが接続されるときに、前記接点部と前記第１中心軸線との間の間隔が広くなるように前記接触部を弾性変形させるとともに、前記接点部に接触されることで前記端子と電気的に接続されるコネクタ装置。
【請求項１０】
前記端子と前記相手側端子との電気的な接続を可能にする、前記接続方向に延びる軸線回りの前記コネクタと前記相手側コネクタとの相対回転位置が複数ある請求項９に記載のコネクタ装置。
【発明の詳細な説明】
【技術分野】
【０００１】
本開示は、コネクタ及びコネクタ装置に関する。
【背景技術】
【０００２】
一般的に、自動車や電動バイク等の電動装置においてバッテリとインバータとを接続するために用いられるコネクタ装置は、例えば特許文献１に記載されているように、端子を有するコネクタと、当該端子に電気的に接続される相手側の端子を有する相手側のコネクタとを備えている。２つのコネクタのうち何れか一方のコネクタがインバータと電気的に接続されるとともに、何れか他方のコネクタがバッテリと電気的に接続される。そして、２つのコネクタが互いに接続されることにより、一方のコネクタの端子と他方のコネクタの端子とが電気的に接続されて、コネクタ装置を介してバッテリとインバータとが電気的に接続されることになる。
【先行技術文献】
【特許文献】
【０００３】
【特許文献１】特開２０１２−１２８９６６号公報
【発明の概要】
【発明が解決しようとする課題】
【０００４】
ところで、近年、電動バイク、電気自転車等の電動装置には、車体に対して着脱可能なバッテリを搭載したものがある。バッテリは、コネクタ装置を介して電動装置に電気的に接続される。即ち、電動装置に電気的に接続されたコネクタとバッテリに電気的に接続されたコネクタとを接続することにより、バッテリは電動装置に電気的に接続される。このようなバッテリは、使用者によって交換や充電等のために車体に対して着脱されることが頻繁にある。そのため、コネクタ装置は、電動装置側のコネクタとバッテリ側のコネクタとが互いに接続されていない未接続状態になることが頻繁にある。コネクタ装置が未接続状態のときには、使用者がコネクタを下にした状態でバッテリを地面に置いたり、電動装置側のコネクタやバッテリ側のコネクタに泥等の異物を含んだ液体がかかったりする可能性がある。そのため、各コネクタの端子に異物が付着するおそれがある。そして、少なくとも一方のコネクタの端子に異物が付着した状態でコネクタ同士が接続されると、一方のコネクタの端子と他方のコネクタの端子との間に異物が噛み込まれるおそれがある。端子と当該端子に電気的に接続される端子との間に異物が噛み込まれると、当該異物によってこれら端子同士の電気的な接続が阻害される懸念がある。
【０００５】
本開示の目的は、端子と当該端子に電気的に接続される相手側の端子との間に異物が噛み込まれることを抑制できるコネクタ及びコネクタ装置を提供することにある。
【課題を解決するための手段】
【０００６】
本開示のコネクタは、電動装置及び前記電動装置に対して着脱可能なバッテリの何れか一方に電気的に接続され、前記電動装置及び前記バッテリの何れか他方に電気的に接続される相手側コネクタと電気的に接続されることにより前記電動装置と前記バッテリとを電気的に接続するコネクタであって、前記コネクタと前記相手側コネクタとの接続方向に延びる中心軸線を有するハウジングと、前記電動装置及び前記バッテリの何れか一方に電気的に接続される接続部材が接続されるベース部及び前記ベース部と一体に設けられ前記ベース部から前記接続方向と反対側に延び前記中心軸線の周囲に配置された接触部を有し前記ハウジングに保持された端子と、を備え、前記接触部は、前記中心軸線側を向き前記相手側コネクタが備える相手側端子に接触する接点部を有するとともに、前記接点部と前記中心軸線との間の間隔が変化するように弾性変形可能であり、前記コネクタと前記相手側コネクタとが接続されていない未接続状態のときに前記接触部の基端よりも前記接点部が前記中心軸線に近づくように傾斜しているコネクタである。
【発明の効果】
【０００７】
本開示のコネクタ装置によれば、端子と当該端子に電気的に接続される相手側の端子との間に異物が噛み込まれることを抑制できる。
【図面の簡単な説明】
【０００８】
【図１】図１（ａ）は、一実施形態にかかるコネクタ装置の断面図、図１（ｂ）は、同コネクタ装置の部分拡大断面である。
【図２】図２は、一実施形態にかかるコネクタの分解斜視図である。
【図３】図３は、一実施形態にかかる相手側コネクタの分解斜視図である。
【図４】図４（ａ）は、一実施形態にかかる端子及び相手側端子の断面図、図４（ｂ）及び図４（ｃ）は、同端子及び同相手側端子の部分拡大断面図である。
【図５】図５は、一実施形態にかかる端子及び相手側端子の断面部端面図である。
【図６】図６（ａ）は、変更例の端子を説明する図、図６（ｂ）は、同端子及び相手側端子の断面図である。
【図７】図７（ａ）は、変更例の端子を説明する図、図７（ｂ）は、同端子及び相手側端子の断面図である。
【図８】図８（ａ）は、変更例の端子を説明する図、図８（ｂ）は、同端子及び相手側端子の断面図である。
【図９】図９（ａ）は、変更例の端子を説明する図、図９（ｂ）は、同端子及び相手側端子の断面図である。
【図１０】図１０（ａ）は、変更例の端子を説明する図、図１０（ｂ）は、同端子及び相手側端子の断面図である。
【図１１】図１１（ａ）は、変更例の端子を説明する図、図１１（ｂ）は、同端子及び相手側端子の断面図である。
【発明を実施するための形態】
【０００９】
［本開示の実施形態の説明］
最初に本開示の実施形態を列記して説明する。
本開示のコネクタは、
（１）電動装置及び前記電動装置に対して着脱可能なバッテリの何れか一方に電気的に接続され、前記電動装置及び前記バッテリの何れか他方に電気的に接続される相手側コネクタと電気的に接続されることにより前記電動装置と前記バッテリとを電気的に接続するコネクタであって、前記コネクタと前記相手側コネクタとの接続方向に延びる中心軸線を有するハウジングと、前記電動装置及び前記バッテリの何れか一方に電気的に接続される接続部材が接続されるベース部及び前記ベース部と一体に設けられ前記ベース部から前記接続方向と反対側に延び前記中心軸線の周囲に配置された接触部を有し前記ハウジングに保持された端子と、を備え、前記接触部は、前記中心軸線側を向き前記相手側コネクタが備える相手側端子に接触する接点部を有するとともに、前記接点部と前記中心軸線との間の間隔が変化するように弾性変形可能であり、前記コネクタと前記相手側コネクタとが接続されていない未接続状態のときに前記接触部の基端よりも前記接点部が前記中心軸線に近づくように傾斜しているコネクタである。
【００１０】
上記態様によれば、接触部は、コネクタと相手側コネクタとが接続されていない未接続状態のときに接触部の基端よりも接点部が中心軸線に近づくように傾斜している。そのため、コネクタと相手側コネクタとの接続時において相手側端子の表面に接点部が摺接した際に、相手側端子の表面に付着した異物を接点部によって除去しやすくなる。そして、中心軸線との間の間隔が広くなるように接触部を弾性変形させながら相手側端子が端子に電気的に接続されることにより、接点部は、接触部の弾性力によって相手側端子の表面に押し付けられる。従って、接点部と相手側端子との間に異物が入り込み難くなる。その結果、端子と当該端子に電気的に接続される相手側端子との間に異物が噛み込まれることを抑制できる。
【００１１】
（２）前記端子は、前記接触部を複数有することが好ましい。
上記態様によれば、接触部が複数になるため、端子において相手側端子と接触する接点部を複数にすることができる。従って、接点部が１つの場合に比べて、端子と相手側端子との接触抵抗を小さくすることができる。そして、接点部が１つの場合に比べて、通電時における接点部の温度上昇を抑えることができる。また、端子が接触部を複数有することにより、複数の接触部の接点部において相手側端子の表面に付着した異物を除去可能である。従って、端子が接触部を１つみ備える場合に比べて相手側端子の表面のより広い範囲の異物を除去可能である。
【００１２】
（３）前記端子は、前記中心軸線の周方向に並ぶ複数の前記接触部を有する第１端子と、前記第１端子の前記接触部よりも内側で前記中心軸線の周方向に並ぶ複数の前記接触部を有する第２端子との２種類あることが好ましい。
【００１３】
上記態様によれば、第１端子の複数の接触部と第２端子の複数の接触部とは、中心軸線を中心に同軸状に配置されている。このような２種類の端子を備えたコネクタにおいて、各端子と当該各端子に電気的に接続される相手側端子との間に異物が噛み込まれることを抑制できる。
【００１４】
（４）前記ハウジングは、前記中心軸線と平行に延び前記第１端子の前記接触部の外周に配置された第１壁部と、前記中心軸線と平行に延び前記第１端子の前記接触部と前記第２端子の前記接触部との間に配置された第２壁部とを有することが好ましい。
【００１５】
上記態様によれば、第１壁部及び第２壁部によって、接触部に異物が付着したり接触したりすることを抑制できる。
（５）前記第１壁部と前記第２壁部とは前記中心軸線を中心とした同心の筒状をなすことが好ましい。
【００１６】
上記態様によれば、第１壁部は中心軸線を中心とした筒状をなすため、第１端子の複数の接触部及び第２端子の複数の接触部の外周を囲むことができる。また、第２壁部は、中心軸線を中心とした筒状をなすため、第１端子の複数の接触部に内周側から対向するとともに、第２端子の複数の接触部の外周を囲むことができる。従って、これら第１壁部及び第２壁部によって、接触部に異物が付着したり接触したりすることをより抑制できる。
【００１７】
（６）前記接点部は、前記接触部の先端から前記接触部の基端側に寄った位置に設けられ、前記接触部は、前記接触部における前記接点部よりも先端側の部分に、前記接点部から前記接触部の先端に向かうにつれて前記中心軸線から遠ざかるように傾斜した導入部を有することが好ましい。
【００１８】
上記態様によれば、相手側端子は、コネクタと相手側コネクタとが接続されるときに接続方向から導入部に当接することにより、接点部と中心軸線との間の間隔が広くなるように接触部を容易に弾性変形させることができる。従って、端子と相手側端子とを接続しやすくなる。
【００１９】
（７）前記接点部は、前記相手側端子に接触した状態のときに前記中心軸線と平行に延びることが好ましい。
上記態様によれば、相手側端子の外周面が接続方向と平行に延びている場合、接点部は、相手側端子と線接触もしくは面接触することができる。従って、接点部と相手側端子との電気的な接続を安定させることができる。
【００２０】
（８）前記接触部は、前記中心軸線の周方向から見て前記中心軸線側に膨らむ円弧面を有し、前記接点部は、前記円弧面上に位置することが好ましい。
上記態様によれば、振動等により相手側端子に対する接触部の姿勢が変化した場合であっても、接点部と相手側端子との接触状態が変化し難くなる。
【００２１】
本開示のコネクタ装置は、
（９）電動装置及び前記電動装置に対して着脱可能なバッテリの何れか一方に電気的に接続されるコネクタと、前記電動装置及び前記バッテリの何れか他方に電気的に接続され前記コネクタに着脱可能に接続される相手側コネクタとを備えたコネクタ装置であって、前記コネクタは、前記コネクタと前記相手側コネクタとの接続方向に延びる第１中心軸線を有する第１ハウジングと、前記電動装置及び前記バッテリの何れか一方に電気的に接続される接続部材が接続されるベース部及び前記ベース部と一体に設けられ前記ベース部から前記接続方向と反対側に延び前記第１中心軸線の周囲に配置された接触部を有し前記第１ハウジングに保持された端子とを備え、前記相手側コネクタは、前記接続方向に延びる第２中心軸線を有する第２ハウジングと、前記電動装置及び前記バッテリの何れか他方に電気的に接続されるものであり前記第２ハウジングに保持された相手側端子とを備え、前記接触部は、前記第１中心軸線側を向き前記相手側端子に接触する接点部を有するとともに、前記接点部と前記第１中心軸線との間の間隔が変化するように弾性変形可能であり、前記コネクタと前記相手側コネクタとが接続されていない未接続状態のときに前記接触部の基端よりも前記接点部が前記第１中心軸線に近づくように傾斜しており、前記相手側端子は、前記コネクタと前記相手側コネクタとが接続されるときに、前記接点部と前記第１中心軸線との間の間隔が広くなるように前記接触部を弾性変形させるとともに、前記接点部に接触されることで前記端子と電気的に接続されるコネクタ装置である。
【００２２】
上記態様によれば、端子の接触部は、コネクタと相手側コネクタとが接続されていない未接続状態のときに接触部の基端よりも接点部が第１中心軸線に近づくように傾斜している。そのため、コネクタと相手側コネクタとの接続時において相手側端子の表面に接点部が摺接した際に、相手側端子の表面に付着した異物を接点部によって除去しやすくなる。そして、接点部と中心軸線との間の間隔が広くなるように接触部を弾性変形させながら相手側端子が端子に電気的に接続されることにより、接点部は、接触部の弾性力によって相手側端子の表面に押し付けられる。従って、接点部と相手側端子との間に異物が入り込み難くなる。その結果、端子と当該端子に電気的に接続される相手側端子との間に異物が噛み込まれることを抑制できる。
【００２３】
（１０）前記端子と前記相手側端子との電気的な接続を可能にする、前記接続方向に延びる軸線回りの前記コネクタと前記相手側コネクタとの相対回転位置が複数あることが好ましい。
【００２４】
上記態様によれば、コネクタと相手側コネクタとを接続可能な状態で対向させることが容易になる。従って、コネクタ装置を介して電動装置とバッテリとを電気的に接続することが容易になる。
【００２５】
［本開示の実施形態の詳細］
本開示のコネクタ及び同コネクタを備えたコネクタ装置の具体例を、以下に図面を参照しつつ説明する。なお、本発明はこれらの例示に限定されるものではなく、特許請求の範囲によって示され、特許請求の範囲と均等の意味及び範囲内の全ての変更が含まれることが意図される。
【００２６】
［コネクタ装置の全体構成］
図１（ａ）に示す本実施形態のコネクタ装置４０は、電動車両２０と同電動車両２０に着脱可能なバッテリ３０とを電気的に接続するものである。電動車両２０は、例えば電動バイク、電気自転車等の電動二輪車である。コネクタ装置４０は、電動車両２０に電気的に接続される第１コネクタ４１と、バッテリ３０に電気的に接続される第２コネクタ４２とを備えている。なお、本実施形態では、電動車両２０が「電動装置」に該当する。
【００２７】
［第１コネクタの構成］
図１（ａ）及び図２に示すように、第１コネクタ４１は、第１コネクタ４１と第２コネクタ４２との接続方向Ｚ１に延びる第１中心軸線Ｌ１を有する第１ハウジング５０と、第１ハウジング５０に保持された第１端子８０及び第２端子１００とを有する。ここで、接続方向Ｚ１は、第１コネクタ４１と第２コネクタ４２とを接続する際に、第１コネクタ４１に対して第２コネクタ４２が相対的に移動される方向である。接続方向Ｚ１と第１中心軸線Ｌ１方向とは同方向である。また、第１コネクタ４１は、電動車両２０を構成する車体２１に対して任意の向きで配置することが可能であるが、本実施形態では、第１コネクタ４１と第２コネクタ４２とが接続された状態において第２コネクタ４２が位置する側を上方、第１コネクタ４１が位置する側を下方として説明する。また、以下、単に「周方向」と記載した場合には、第１中心軸線Ｌ１の周方向を意味するものとする。なお、図１（ａ）は、コネクタ装置４０を、第１中心軸線Ｌ１を含む平面で切った断面図である。
【００２８】
第１ハウジング５０は、アウタハウジング５１と、アウタハウジング５１の内側に配置されるインナハウジング５２と、アウタハウジング５１及びインナハウジング５２と組み付けられるバックリテーナ５３とを有する。アウタハウジング５１、インナハウジング５２及びバックリテーナ５３は、絶縁性の樹脂材料よりなる。
【００２９】
アウタハウジング５１は、第１中心軸線Ｌ１と平行に延びる第１壁部６１を有する。第１壁部６１は、第１中心軸線Ｌ１を中心とした円筒状をなしている。
アウタハウジング５１は、第１壁部６１の下端部に当接部６２を有する。当接部６２は、第１壁部６１の下端部から外周側に鍔状に延出されるとともに、第１壁部６１と一体に形成されている。当接部６２は、第１壁部６１と同軸の略円環状をなしている。
【００３０】
アウタハウジング５１は、第１壁部６１の下端部から延出された複数の固定部６３を有する。本実施形態では、アウタハウジング５１は４つの固定部６３を有する。図２には、４つある固定部６３のうち３つのみを図示している。４つの固定部６３は、第１壁部６１に一体に設けられている。また、４つの固定部６３は、第１壁部６１の下端部において周方向に等角度間隔となる４箇所（本実施形態では周方向に９０°間隔となる４箇所）に設けられている。更に、各固定部６３は、アウタハウジング５１において当接部６２よりも下方に設けられている。各固定部６３の先端部には、各固定部６３を第１中心軸線Ｌ１方向に貫通する固定孔６４が設けられている。各固定孔６４の内周面には、円筒状をなす金属製のカラー６５が装着されている。
【００３１】
アウタハウジング５１は、周方向に隣り合う固定部６３の間であって周方向に１８０°間隔となる２箇所に、第１中心軸線Ｌ１と平行に第１壁部６１から下方に延びる延出部６６を有する。図２には、２つある延出部６６のうち１つのみを図示している。各延出部６６は第１壁部６１と一体に設けられている。各延出部６６の外側面には、同外側面から外周側に突出した固定凸部６７が形成されている。２つの固定凸部６７は、アウタハウジング５１において周方向に１８０°離れている。
【００３２】
第１コネクタ４１は、アウタハウジング５１が固定部６３において車体２１に固定されることにより、車体２１に対して固定される。具体的には、車体２１における第１コネクタ４１を固定する場所には、装着孔２２が設けられている。第１コネクタ４１が車体２１に固定される際には、まず、車体２１の内側から装着孔２２に第１壁部６１が挿入される。更に、車体２１における装着孔２２の外周部分に車体２１の内側から当接部６２が当接される。この状態で、各固定孔６４、即ち各カラー６５に挿通されたボルト２３が、車体２１に保持されたナットに螺合されることにより、第１コネクタ４１は車体２１に固定される。
【００３３】
第１壁部６１は、内側に第１端子８０を保持している。第１端子８０は導電性の金属材料よりなる。本実施形態では、第１端子８０は、銅または銅合金よりなる板材にプレス加工を施して形成されている。本実施形態の第１端子８０は陰極の雌端子である。
【００３４】
第１端子８０は、電動車両２０に電気的に接続される接続部材７１が接続されるベース部８１と、ベース部８１と一体に設けられた複数の接触部８２とを有する。本実施形態では、第１端子８０は４つの接触部８２を有する。
【００３５】
ベース部８１は、円筒状をなす連結部８３と、連結部８３の軸方向の下端部から延出された接続部８４とを有する。連結部８３と接続部８４とは一体に形成されている。連結部８３の外径は、第１壁部６１の内径と等しいか僅かに小さい。接続部８４は、連結部８３の軸方向の下端部の一部から同連結部８３の軸方向に沿って下方に延びた後に屈曲されて同連結部８３の軸方向と直交する方向に沿って外周側に延びている。
【００３６】
４つの接触部８２は、連結部８３における周方向に等角度間隔となる４箇所（本実施形態では周方向に９０°間隔となる４箇所）から上方に直線的に延びている。周方向に隣り合う接触部８２の間には隙間が設けられている。また、各接触部８２は、連結部８３の周方向に沿って円弧状に湾曲している。各接触部８２における連結部８３の径方向の厚さは、連結部８３における同連結部８３の径方向の厚さよりも若干薄い。
【００３７】
図４（ａ）、図４（ｂ）及び図５に示すように、各接触部８２は、各々の先端部に第１接点凸部８５を有する。第１接点凸部８５は、接触部８２の先端部において径方向内側に突出している。各第１接点凸部８５は、連結部８３の周方向に沿った突条をなしている。各第１接点凸部８５の径方向内側の側面は、第１コネクタ４１と第２コネクタ４２とが接続された際に第２コネクタ４２に備えられる後述の第１相手側端子１６０に接触する第１接点部８６である。第１接点部８６は、連結部８３の軸方向から見て外周側に凹んだ円弧状をなしている。複数の第１接点部８６は、連結部８３の軸方向における位置が等しい。
【００３８】
図１（ａ）及び図２に示すように、第１端子８０は、第１壁部６１と同軸となるように第１壁部６１に内挿されている。連結部８３は、第１壁部６１の内部において、第１壁部６１の下端寄りの部位と同第１壁部６１の径方向に重なる位置に配置されている。また、接続部８４において径方向に延出された部分（即ち接続部８４において連結部８３の軸方向と直交する方向に沿って外周側に延びる部分）は、第１壁部６１の下端から第１壁部６１の外部に突出している。更に、接続部８４において径方向に延出された部分は、下方から当接部６２の下面に当接している。そして、接続部８４の先端は、第１壁部６１よりも外周側に位置する。なお、第１壁部６１の上端部には被覆部６８が設けられている。被覆部６８は、第１壁部６１の上端部から同第１壁部６１の径方向内側に突出しており、第１中心軸線Ｌ１の周方向に延びる円環状をなしている。第１端子８０は、同第１端子８０の上端面、即ち各接触部８２の先端面が被覆部６８と第１中心軸線Ｌ１方向に対向するとともに同第１壁部６１によって覆われている。
【００３９】
第１壁部６１の内側に配置された第１端子８０においては、複数の接触部８２は、第１中心軸線Ｌ１の周方向に並んでいる。更に、第１壁部６１は、複数の接触部８２の外周に配置されている。各接触部８２の第１接点部８６は、第１中心軸線Ｌ１側を向くとともに第１中心軸線Ｌ１と対向している。
【００４０】
図４（ａ）、図４（ｂ）及び図５に示すように、各接触部８２は、第１コネクタ４１と第２コネクタ４２とが接続されていない未接続状態のときに接触部８２の基端よりも第１接点部８６が第１中心軸線Ｌ１に近づくように傾斜している。図４（ａ）、図４（ｂ）及び図５では、第１コネクタ４１と第２コネクタ４２とが接続されていない未接続状態における接触部８２を二点鎖線で図示し、第１コネクタ４１と第２コネクタ４２とが接続された接続状態における接触部８２を実線で図示している。また、本実施形態では、各接触部８２は、第１コネクタ４１と第２コネクタ４２とが接続されていない未接続状態のときに接触部８２の基端よりも接触部８２の先端が第１中心軸線Ｌ１に近づくように傾斜している。これらの接触部８２は、第１接点部８６と第１中心軸線Ｌ１との間の間隔が変化するように弾性変形可能である。本実施形態では、複数の接触部８２の各々は、各々の基端に対して各々の第１接点部８６が第１中心軸線Ｌ１と直交する方向、即ち第１壁部６１の径方向にずれるように弾性変形可能である。
【００４１】
図１（ａ）に示すように、接続部８４の先端に前記接続部材７１が接続される。本実施形態では、接続部材７１は、電動車両２０を構成する図示しないインバータに電気的に接続される電線であり、超音波接合により接続部８４に電気的に接続されている。第１端子８０は、接続部材７１を介して電動車両２０（本実施形態では電動車両２０を構成するインバータ）に電気的に接続される。
【００４２】
図１（ａ）及び図２に示すように、インナハウジング５２は、アウタハウジング５１の第１壁部６１の内側に配置されている。インナハウジング５２は、第１中心軸線Ｌ１と平行に延びる第２壁部９１を有する。第２壁部９１は、第１中心軸線Ｌ１を中心とした円筒状をなしている。即ち、第１壁部６１と第２壁部９１とは第１中心軸線Ｌ１を中心とした同心の筒状をなしている。第２壁部９１の第１中心軸線Ｌ１方向の長さは、第１壁部６１の第１中心軸線Ｌ１方向の長さと略等しい。また、第２壁部９１の外径は、第１端子８０の最小内径よりも小さい。
【００４３】
インナハウジング５２は、第２壁部９１の下端部に一体に設けられた支持部９２を有する。支持部９２は、第２壁部９１と同軸の略円環状をなしている。支持部９２の外径は、第２壁部９１の外径より大きく且つ第１壁部６１の内径より若干小さい。支持部９２は、第１壁部６１の下端部の内側に配置されている。支持部９２の軸方向の上端面における外周縁部は、第１端子８０の連結部８３の軸方向の下端面に下方から当接している。第１端子８０は、連結部８３が支持部９２の軸方向の上端面に当接することにより、アウタハウジング５１に対して下方に移動することが阻止される。
【００４４】
支持部９２には、第１端子８０の接続部８４と対応する位置に、支持部９２の外周面から径方向内側に向けて凹設された第１挿通凹部９３が形成されている。第１挿通凹部９３は、第２壁部９１の径方向外側に開口するとともに、支持部９２を第１中心軸線Ｌ１方向に貫通している。接続部８４は、この第１挿通凹部９３を通ってアウタハウジング５１の外部に突出している。また、支持部９２には、第１挿通凹部９３から周方向に１８０°離れた位置に第２挿通凹部９４が形成されている。第２挿通凹部９４は、支持部９２の下端面から上方に向けて凹設されている。そして、第２挿通凹部９４は、支持部９２を第１中心軸線Ｌ１と直交する方向に貫通するとともに、下方に開口している。
【００４５】
また、インナハウジング５２は、支持部９２の下端面から突出した複数の固定爪９５を有する。本実施形態では、インナハウジング５２は、支持部９２の下端面において周方向に１８０°間隔となる２箇所に固定爪９５を有する。図２では、２つある固定爪９５のうち１つのみを図示している。２つの固定爪９５は、支持部９２の下端面において第１挿通凹部９３及び第２挿通凹部９４の各々から周方向に９０°離れた位置に設けられている。各固定爪９５は、支持部９２の下端面から第１中心軸線Ｌ１方向に沿って下方に突出している。各固定爪９５は、その先端部に係止凸部９６を有する。係止凸部９６は、各固定爪９５の先端部において、第２壁部９１の径方向外側に突出している。各固定爪９５は、その基端に対して先端が第２壁部９１の径方向にずれるように弾性変形可能である。
【００４６】
第２壁部９１は、内側に第２端子１００を保持している。第２端子１００は導電性の金属材料よりなる。本実施形態では、第２端子１００は、銅または銅合金よりなる板材にプレス加工を施して形成されている。本実施形態の第２端子１００は陽極の雌端子である。
【００４７】
第２端子１００は、電動車両２０に電気的に接続される接続部材７２が接続されるベース部１０１と、ベース部１０１と一体に設けられた複数の接触部１０２とを有する。本実施形態では、第２端子１００は４つの接触部１０２を有する。
【００４８】
ベース部１０１は、円筒状をなす連結部１０３と、連結部１０３の軸方向の下端部から延出された接続部１０４とを有する。連結部１０３と接続部１０４とは一体に形成されている。連結部１０３の外径は、第２壁部９１の内径と等しいか僅かに小さい。接続部１０４は、連結部１０３の軸方向の下端部の一部から同連結部１０３の軸方向と直交する方向、即ち連結部１０３の径方向に延びている。
【００４９】
４つの接触部１０２は、連結部１０３における周方向に等角度間隔となる４箇所（本実施形態では周方向に９０°間隔となる４箇所）から上方に直線的に延びている。周方向に隣り合う接触部１０２の間には隙間が設けられている。また、各接触部１０２は、連結部１０３の周方向に沿って円弧状に湾曲している。各接触部１０２における連結部１０３の径方向の厚さは、連結部１０３における同連結部１０３の径方向の厚さよりも若干薄い。
【００５０】
図４（ａ）、図４（ｃ）及び図５に示すように、各接触部１０２は、各々の先端部に第２接点凸部１０５を有する。第２接点凸部１０５は、接触部１０２の先端部において径方向内側に突出している。各第２接点凸部１０５は、連結部１０３の周方向に沿った突条をなしている。各第２接点凸部１０５の径方向内側の側面は、第１コネクタ４１と第２コネクタ４２とが接続された際に第２コネクタ４２に備えられる後述の第２相手側端子１８０に接触する第２接点部１０６である。第２接点部１０６は、連結部１０３の軸方向から見て外周側に凹んだ円弧状をなしている。複数の第２接点部１０６は、連結部１０３の軸方向における位置が等しい。
【００５１】
図１（ａ）及び図２に示すように、第２端子１００は、第２壁部９１と同軸となるように第２壁部９１に内挿されている。連結部１０３は、第２壁部９１の内部において、第２壁部９１の下端部と同第２壁部９１の径方向に重なる位置に配置されている。また、接続部１０４は、第２壁部９１の下端側から第２挿通凹部９４を通って第２壁部９１の外部に突出している。更に、接続部１０４は、第２挿通凹部９４の下方を向いた底面に下方から当接している。そして、接続部１０４の先端は、支持部９２よりも外周側に位置する。なお、第２壁部９１の上端部には被覆部９７が設けられている。被覆部９７は、第２壁部９１の上端部から同第２壁部９１の径方向内側に突出しており、第１中心軸線Ｌ１の周方向に延びる円環状をなしている。第２端子１００は、同第２端子１００の上端面、即ち各接触部１０２の先端面が被覆部９７と第２壁部９１の軸方向に対向するとともに同第２壁部９１によって覆われている。
【００５２】
第２壁部９１の内側に配置された第２端子１００においては、複数の接触部１０２は、第１端子８０の接触部８２よりも内側で第１中心軸線Ｌ１の周方向に並んでいる。更に、第２壁部９１は、複数の接触部１０２の外周で、第１端子８０の複数の接触部８２と第２端子１００の複数の接触部１０２との間に配置されている。各接触部１０２の第２接点部１０６は、第１中心軸線Ｌ１側を向くとともに第１中心軸線Ｌ１と対向している。
【００５３】
図４（ａ）、図４（ｃ）及び図５に示すように、各接触部１０２は、第１コネクタ４１と第２コネクタ４２とが接続されていない未接続状態のときに接触部１０２の基端よりも第２接点部１０６が第１中心軸線Ｌ１に近づくように傾斜している。図４（ａ）、図４（ｃ）及び図５では、第１コネクタ４１と第２コネクタ４２とが接続されていない未接続状態における接触部１０２を二点鎖線で図示し、第１コネクタ４１と第２コネクタ４２とが接続された接続状態における接触部８２を実線で図示している。また、本実施形態では、各接触部１０２は、第１コネクタ４１と第２コネクタ４２とが接続されていない未接続状態のときに接触部１０２の基端よりも接触部１０２の先端が第１中心軸線Ｌ１に近づくように傾斜している。これらの接触部１０２は、第２接点部１０６と第１中心軸線Ｌ１との間の間隔が変化するように弾性変形可能である。本実施形態では、複数の接触部１０２の各々は、各々の基端に対して各々の第２接点部１０６が第１中心軸線Ｌ１と直交する方向、即ち第２壁部９１の径方向にずれるように弾性変形可能である。
【００５４】
図１（ａ）に示すように、接続部１０４の先端に前記接続部材７２が接続される。本実施形態では、接続部材７２は、接続部材７１と同様に、電動車両２０を構成する図示しないインバータに電気的に接続される電線であり、超音波接合により接続部１０４に電気的に接続されている。第２端子１００は、接続部材７２を介して電動車両２０（本実施形態では電動車両２０を構成するインバータ）に電気的に接続される。
【００５５】
図１（ａ）及び図２に示すように、バックリテーナ５３は、アウタハウジング５１及びインナハウジング５２の下端部に固定されている。バックリテーナ５３は、略円形の皿状をなしている。バックリテーナ５３は、略円板状をなす底部１１１と、底部１１１の外周縁から上方に立設された４つの側壁部１１２ａ〜１１２ｄを有する。バックリテーナ５３の外径は、第１壁部６１の外径と略等しい。
【００５６】
４つの側壁部１１２ａ〜１１２ｄは、底部１１１の外周縁において周方向に９０°間隔となる４箇所に底部１１１と一体に設けられている。側壁部１１２ａ〜１１２ｄは、底部１１１の軸方向から見て底部１１１の周方向に沿った円弧状をなしている。底部１１１の周方向に１８０°離間した側壁部１１２ｂ，１１２ｄの内径は、インナハウジング５２の支持部９２の外径と略等しい。
【００５７】
４つの側壁部１１２ａ〜１１２ｄのうち周方向に１８０°離れた２つの側壁部１１２ａ，１１２ｃは固定爪１１３を有する。固定爪１１３は、各側壁部１１２ａ，１１２ｃの周方向の中央部で上方に延出されている。２つの固定爪１１３は、底部１１１の周方向に１８０°離れている。また、各固定爪１１３は、底部１１１の径方向に貫通した係止孔１１４を有する。各固定爪９５は、その先端が基端に対して底部１１１の径方向にずれるように弾性変形可能である。
【００５８】
底部１１１は、底部１１１を軸方向に貫通した２つの固定孔１１５を有する。２つの固定孔１１５は、底部１１１において側壁部１１２ａと側壁部１１２ｃとの間に設けられており、底部１１１の周方向に１８０°離れている。
【００５９】
バックリテーナ５３において、底部１１１の上面には当接壁１１６が立設されている。当接壁１１６は、底部１１１の上面において２つの固定孔６４の間に設けられている。当接壁１１６は、底部１１１の中央部で底部１１１と同軸に設けられた円弧状をなす部分と、当該円弧状をなす部分から側壁部１１２ｂまで延びる部分とを有する。当接壁１１６の底部１１１の上面からの高さは、側壁部１１２ｂにおける底部１１１の上面からの高さと等しい。
【００６０】
４つの側壁部１１２ａ〜１１２ｄの内側には、インナハウジング５２の支持部９２の下端部が挿入されている。支持部９２の下端面は、底部１１１の上面に当接している。バックリテーナ５３は、２つの固定孔１１５にインナハウジング５２の２つの固定爪９５が挿入されて係合されることにより、インナハウジング５２の下端部に固定されている。底部１１１における固定孔１１５の外周部分の一部は、固定爪９５の係止凸部９６と支持部９２の下端面との間に挟持される。インナハウジング５２に固定されたバックリテーナ５３は、その軸方向が第２壁部９１の軸方向と一致する。
【００６１】
バックリテーナ５３は、２つの固定爪１１３の係止孔１１４にアウタハウジング５１の２つの固定凸部６７が嵌ることにより、アウタハウジング５１の下端部に固定されている。アウタハウジング５１に固定されたバックリテーナ５３は、その軸方向が第１壁部６１の軸方向、即ち第１中心軸線Ｌ１方向と一致する。
【００６２】
アウタハウジング５１及びインナハウジング５２に固定されたバックリテーナ５３の当接壁１１６は、支持部９２の内側及び第２挿通凹部９４の内部に挿入されている。そして、第２端子１００の接続部１０４は、当接壁１１６及び側壁部１１２ｂと、第１壁部６１の下端面及び第２挿通凹部９４の底面とによって第１中心軸線Ｌ１方向の両側から挟持されている。また、第１端子８０の接続部８４における径方向に延出された部分は、側壁部１１２ｄと第１壁部６１の下端面とによって第１中心軸線Ｌ１方向の両側から挟持されている。
【００６３】
［第２コネクタの構成］
図１（ａ）及び図３に示すように、第２コネクタ４２は、接続方向Ｚ１に延びる第２中心軸線Ｌ２を有する第２ハウジング１２０と、第２ハウジング１２０に保持された第１相手側端子１６０及び第２相手側端子１８０とを有する。なお、第１コネクタ４１と第２コネクタ４２とが接続された接続状態においては、第２中心軸線Ｌ２は第１中心軸線Ｌ１と一致する。
【００６４】
第２ハウジング１２０は、アウタハウジング１２１と、アウタハウジング１２１の内側に配置されるインナハウジング１２２と、アウタハウジング１２１及びインナハウジング１２２と組み付けられるバックリテーナ１２３とを有する。アウタハウジング１２１、インナハウジング１２２及びバックリテーナ１２３は、絶縁性の樹脂材料よりなる。
【００６５】
アウタハウジング１２１は、第２中心軸線Ｌ２と平行に延びる第１壁部１３１を有する。第１壁部１３１は、第２中心軸線Ｌ２を中心とした円筒状をなしている。第１壁部１３１の内径は、第１コネクタ４１に備えられるアウタハウジング５１の第１壁部６１の外径と略等しい。
【００６６】
アウタハウジング１２１は、第１壁部１３１の外周面から延出された複数の固定部１３２を有する。本実施形態では、アウタハウジング１２１は４つの固定部１３２を有する。４つの固定部１３２は、第１壁部１３１に一体に設けられている。４つの固定部１３２のうち３つの固定部１３２は、第１壁部１３１における第２中心軸線Ｌ２方向の略中央部から第１壁部１３１の径方向外側に延出されている。残りの１つの固定部１３２は、第１壁部１３１の上端部から第１壁部１３１の径方向外側に延出されている。４つの固定部１３２は、第２中心軸線Ｌ２方向から見て、第１壁部１３１の周方向に等角度間隔（本実施形態では周方向に９０°間隔）に設けられている。各固定部１３２には、各固定部１３２を第２中心軸線Ｌ２方向に貫通する固定孔１３３が設けられている。各固定孔１３３の内周面には、円筒状をなす金属製のカラー１３４が装着されている。
【００６７】
第２コネクタ４２は、アウタハウジング１２１が固定部１３２においてバッテリ３０のケース３１に固定されることにより、バッテリ３０に対して固定される。具体的には、ケース３１における第２コネクタ４２を固定する場所には、装着孔３２が設けられている。ケース３１における第２コネクタ４２を固定する場所は、例えばケース３１の底部である。第２コネクタ４２がケース３１に固定される際には、まず、ケース３１における装着孔３２の外周部分に各固定部６３がケース３１の内側から重ね合わされる。そして、各固定孔１３３、即ちカラー１３４に挿通されたボルト３３が、ケース３１に保持された図示しないナットに螺合されることにより、第２コネクタ４２はケース３１に固定される。
【００６８】
第１壁部１３１において固定部１３２よりも下端側の部分の外周面には、収容溝１３５が形成されている。第１壁部１３１の下端部は、バッテリ３０のケース３１に設けられた装着孔３２に挿入される。収容溝１３５は、第１壁部１３１の外周面において装着孔３２の内周面と第１壁部１３１の径方向に対向する部分に設けられている。収容溝１３５は、第１壁部１３１の外周面から径方向内側に凹設されており、第１壁部１３１の径方向外側に開口している。また、収容溝１３５は、第１壁部１３１の周方向に沿って延びる円環状をなしている。収容溝１３５には防水部材１４１が配置されている。本実施形態の防水部材１４１は、弾性を有するゴム材料よりなるＯリングである。防水部材１４１は、収容溝１３５の内面と装着孔３２の内周面とに液密に密着することにより、第１壁部１３１の外周面と装着孔３２の内周面との間から水等の液体がバッテリ３０の内部に浸入することを抑制する。
【００６９】
第１壁部１３１の上端部における外周面には、複数の固定凸部１３６が設けられている。本実施形態では、アウタハウジング１２１は４つの固定凸部１３６を有する。４つの固定凸部１３６は、第１壁部１３１の外周面において第２中心軸線Ｌ２の周方向に等角度間隔（本実施形態では周方向に９０°間隔）となる４箇所で、第１壁部１３１の外周面から径方向外側に突出している。
【００７０】
インナハウジング１２２は、アウタハウジング１２１の第１壁部１３１の内側に配置されている。インナハウジング１２２は、第２中心軸線Ｌ２と平行に延びる第２壁部１５１を有する。第２壁部１５１は、第２中心軸線Ｌ２を中心とした円筒状をなしている。即ち、第１壁部１３１と第２壁部１５１とは第２中心軸線Ｌ２を中心とした同心の筒状をなしている。第２壁部１５１の外径は、アウタハウジング１２１の最小内径よりも小さい。また、第２壁部１５１の軸方向の下端面は、第１壁部１３１の軸方向の下端面と第２中心軸線Ｌ２方向の位置が等しい。そして、第２壁部１５１の軸方向の下端面と第１壁部１３１の軸方向の下端面とは、第２中心軸線Ｌ２と直交する同一平面内に位置する。
【００７１】
インナハウジング１２２は、第２壁部１５１の軸方向の上端部を略閉塞する閉塞部１５２を有する。閉塞部１５２は、第２壁部１５１の上端部に一体に設けられている。閉塞部１５２は、第２壁部１５１の外径と等しい外径を有する円板状をなしている。閉塞部１５２は、第１壁部１３１の軸方向の上端部の内側に配置されるとともに、第１壁部１３１の軸方向の上端部と径方向に重なる。
【００７２】
第２コネクタ４２は、アウタハウジング１２１の第１壁部１３１とインナハウジング１２２の第２壁部１５１との間に第１端子８０に電気的に接続される第１相手側端子１６０を保持している。本実施形態では、第１相手側端子１６０は陰極の雄端子である。第１相手側端子１６０は導電性の金属材料よりなる。本実施形態では、第１相手側端子１６０は銅または銅合金よりなる。第１相手側端子１６０は、円筒状の端子本体１６１と、端子本体１６１の軸方向の上端部から端子本体１６１の径方向に沿って外側に延出された接続部１６２とを有する。
【００７３】
端子本体１６１は、インナハウジング１２２の第２壁部１５１に外挿されている。端子本体１６１の内径は、第２壁部１５１の外径と等しいか若干大きい。端子本体１６１の外径は、アウタハウジング１２１の最小内径より小さい。そのため、端子本体１６１は、第１壁部１３１の内周面との間に隙間を有する。また、端子本体１６１の外径は、第１端子８０に嵌入可能な大きさである。具体的には、端子本体１６１の外径は、第１コネクタ４１と第２コネクタ４２とが接続されていない未接続状態での第１端子８０における第１接点部８６での内径より僅かに大きい。更に、端子本体１６１の外径は、連結部８３の内径と等しいか同内径より若干小さい。端子本体１６１は、第１壁部１３１及び第２壁部１５１と同軸に配置されている。
【００７４】
図５に示すように、端子本体１６１の外周面は、第２中心軸線Ｌ２と平行に延びる円筒状をなしている。端子本体１６１の外周面の曲率は、第１端子８０の第１接点部８６の曲率と等しい。
【００７５】
図１（ａ）に示すように、第２壁部１５１の下端部には被覆部１５３が設けられている。被覆部１５３は、第２壁部１５１の下端部から同第２壁部１５１の径方向外側に突出している。被覆部１５３は、第２中心軸線Ｌ２の周方向に沿った円環状をなしている。第１相手側端子１６０は、端子本体１６１の下端面が上方から被覆部１５３に当接することにより、インナハウジング１２２に対する下方側への位置決めがなされる。端子本体１６１の上端面は、閉塞部１５２の上面と同一平面内に位置する。
【００７６】
図１（ａ）、図１（ｂ）及び図３に示すように、第１壁部１３１の内周面と端子本体１６１の外周面との間には防水部材１４２が配置されている。第１壁部１３１の上端部には、第１壁部１３１の上端部から第１壁部１３１の径方向内側に突出して端子本体１６１の外周面に近接する円環状の支持凸部１３７が設けられている。防水部材１４２は、第１壁部１３１における支持凸部１３７よりも上側の部分の内周面と端子本体１６１の外周面との間に介在されている。本実施形態の防水部材１４２は、弾性を有するゴム材料よりなるＯリングである。防水部材１４２は、第１壁部１３１の内周面と端子本体１６１の外周面とに液密に密着することにより、第１壁部１３１の内周面と端子本体１６１の外周面との間から水等の液体がバッテリ３０の内部に浸入することを抑制する。なお、第１壁部１３１の上端部の内側には、円環状の板状をなす押さえ部材１４３が配置されている。押さえ部材１４３は、バックリテーナ１２３と防水部材１４２との間で全周に亘って防水部材１４２に液密に密着し、支持凸部１３７との間に防水部材１４２を挟持する。
【００７７】
インナハウジング１２２の閉塞部１５２と端子本体１６１の内周面との間には、防水部材１４４が配置されている。閉塞部１５２の外周面には収容溝１５４が形成されている。収容溝１５４は、閉塞部１５２の外周面から径方向内側に凹設されており、径方向外側に開口している。また、収容溝１５４は、第２壁部１５１の周方向に沿って延びる円環状をなしている。防水部材１４４は、この収容溝１５４に配置されている。本実施形態の防水部材１４４は、弾性を有するゴム材料よりなるＯリングである。防水部材１４４は、収容溝１５４の内面と端子本体１６１の内周面とに液密に密着することにより、閉塞部１５２の外周面と端子本体１６１の内周面との間から水等の液体がバッテリ３０の内部に浸入することを抑制する。
【００７８】
図１（ａ）及び図３に示すように、第１相手側端子１６０の接続部１６２は、端子本体１６１の上端部から防水部材１４２及び押さえ部材１４３の上方を通った後に閉塞部１５２の上面上を通り、更に第１壁部１３１の外側まで延びている。接続部１６２は、第１壁部１３１の上端部に設けられた１つの固定部１３２の上面に重ね合わされている。更に、接続部１６２の上面には、導電性の金属材料よりなるバスバー１７１が重ね合わされている。接続部１６２とバスバー１７１とは、第１壁部１３１の上端部に設けられた１つの固定部１３２の固定孔６４に挿通される前記ボルト３３によって共締めされることにより電気的に接続されるとともにバッテリ３０のケース３１に対して固定される。また、バスバー１７１には電線１７２が電気的に接続されている。電線１７２は、同電線１７２の片側端部がバスバー１７１にかしめられることによりバスバー１７１に電気的に接続されている。第１相手側端子１６０は、バスバー１７１及び電線１７２を介してバッテリ３０に電気的に接続される。
【００７９】
インナハウジング１２２は、第２壁部１５１の内側に、第２端子１００に電気的に接続される第２相手側端子１８０を保持している。本実施形態では、第２相手側端子１８０は陽極の雄端子である。第２相手側端子１８０は導電性の金属材料よりなる。本実施形態では、第２相手側端子１８０は銅または銅合金よりなる。第２相手側端子１８０は、第２壁部１５１の内側に配置される円柱状の端子本体１８１と、端子本体１８１の外周面から径方向外側に突出した位置決め部１８２とを有する。端子本体１８１と位置決め部１８２とは一体に形成されている。
【００８０】
端子本体１８１の軸方向の長さは、第２壁部１５１及び閉塞部１５２の軸方向の長さの和と略等しい。また、端子本体１８１の外径は、第２端子１００に嵌入可能な大きさである。具体的には、端子本体１８１の外径は、第１コネクタ４１と第２コネクタ４２とが接続されていない未接続状態での第２端子１００における第２接点部１０６での内径より僅かに大きい。更に、端子本体１８１の外径は、連結部１０３の内径と等しいか同内径より若干小さい。
【００８１】
図４（ａ）及び図５に示すように、端子本体１８１の外周面は、第２中心軸線Ｌ２と平行に延びる円筒状をなしている。端子本体１８１の外周面の曲率は、第２端子１００の各第２接点部１０６の曲率と等しい。また、端子本体１８１の下端部には、絶縁性の樹脂材料よりなるキャップ１８３が第２中心軸線Ｌ２方向の下側から装着されている。
【００８２】
図１（ａ）、図１（ｂ）及び図３に示すように、位置決め部１８２は、端子本体１８１において、同端子本体１８１の上端寄りの位置であって端子本体１８１の上端よりも下方となる位置に設けられている。位置決め部１８２は、端子本体１８１の周方向に沿って環状に設けられている。位置決め部１８２の外径は第２壁部１５１の内径より小さい。
【００８３】
閉塞部１５２の径方向の中央部には、端子本体１８１の外径よりも僅かに大きく且つ位置決め部１８２の外径より小さい内径を有する円孔である貫通孔１５５が設けられている。また、閉塞部１５２には、閉塞部１５２の上面の中央部から下方に凹設された位置決め凹部１５６が設けられている。位置決め凹部１５６は、貫通孔１５５における閉塞部１５２の上端側の部分を拡径する形状をなしている。位置決め凹部１５６は、第２中心軸線Ｌ２方向から見て貫通孔１５５と同心の円形状をなし上方に開口している。位置決め凹部１５６における第２中心軸線Ｌ２方向の深さは位置決め部１８２の軸方向の厚さと等しい。また、位置決め凹部１５６の内径は位置決め部１８２の外径と等しい。
【００８４】
端子本体１８１は、貫通孔１５５から第２壁部１５１の内部に挿入されるとともに、位置決め部１８２は位置決め凹部１５６に嵌入されている。位置決め部１８２の下面が位置決め凹部１５６の底面に当接することにより、インナハウジング１２２に対する第２相手側端子１８０の第２中心軸線Ｌ２方向の位置決めがなされるとともに、インナハウジング１２２に対して第２相手側端子１８０が下方へ移動することが阻止される。また、位置決め部１８２の外周面が位置決め凹部１５６の内周面に当接することにより、インナハウジング１２２に対する第２相手側端子１８０の径方向の位置決めがなされる。そのため、インナハウジング１２２に対して第２相手側端子１８０が第２壁部１５１の径方向に移動することが阻止される。なお、位置決め部１８２の上面と閉塞部１５２の上面とは、第２壁部１５１の軸方向と直交する同一平面内に位置する。そして、端子本体１８１は、第１壁部１３１、第２壁部１５１及び第１相手側端子１６０の端子本体１６１と同軸に配置されている。また、第２中心軸線Ｌ２方向における端子本体１８１の下端の位置は、同方向における端子本体１６１の下端の位置と等しい。また、端子本体１８１の上端部は、閉塞部１５２の上面よりも上方に突出している。
【００８５】
位置決め部１８２の外周面と位置決め凹部１５６の内周面との間には、防水部材１４５が配置されている。位置決め部１８２の外周面には収容溝１８４が形成されている。収容溝１８４は、位置決め部１８２の外周面から径方向内側に凹設されており、位置決め部１８２の径方向外側に開口している。また、収容溝１８４は、位置決め部１８２の周方向に沿って延びる円環状をなしている。防水部材１４５は、この収容溝１８４に配置されている。本実施形態の防水部材１４５は、弾性を有するゴム材料よりなるＯリングである。防水部材１４５は、収容溝１８４の内面と位置決め凹部１５６の内周面とに液密に密着することにより、第２壁部１５１の内側に浸入した水等の液体が、貫通孔１５５を通って位置決め凹部１５６の内周面と位置決め部１８２の外周面との間からバッテリ３０の内部に浸入することを抑制する。
【００８６】
端子本体１８１の上端部には、導電性の金属材料よりなるバスバー１７３を介して電線１７４が電気的に接続されている。端子本体１８１は、端子本体１８１の上端から下方に凹設された螺子穴１８５を有する。そして、バスバー１７３は、同バスバー１７３を貫通し螺子穴１８５に螺合されたボルト１７５によって端子本体１８１に電気的に接続されている。電線１７４は、同電線１７４の片側端部がバスバー１７３にかしめられることにより電線１７４に電気的に接続されている。第２相手側端子１８０は、バスバー１７３及び電線１７４を介してバッテリ３０に電気的に接続される。
【００８７】
インナハウジング１２２は、閉塞部１５２の上面から突出した複数の固定爪１５７を有する。本実施形態では、インナハウジング１２２は２つの固定爪１５７を有する。２つの固定爪１５７は、閉塞部１５２の上面における位置決め凹部１５６よりも外周側の部分で、第２中心軸線Ｌ２の周方向に１８０°間隔となる２箇所から第２中心軸線Ｌ２方向に沿って上方に突出している。各固定爪１５７は、その先端部に係止凸部１５８を有する。係止凸部１５８は、各固定爪１５７の先端部において、第２壁部１５１の径方向外側に突出している。各固定爪１５７は、その基端に対して先端が第２壁部１５１の径方向にずれるように弾性変形可能である。
【００８８】
バックリテーナ１２３は、アウタハウジング１２１及びインナハウジング１２２の上端部に固定されている。バックリテーナ１２３は、略円形の皿状をなしている。バックリテーナ１２３は、略円板状をなす底部１９１と、底部１９１の外周縁から下方に立設された略円筒状の側壁部１９２とを有する。
【００８９】
底部１９１の外径は、アウタハウジング１２１の第１壁部１３１の外径と略等しい。側壁部１９２の内径は、第１壁部１３１の外径と等しいか僅かに大きい。底部１９１には、周方向に１８０°間隔となる２箇所に固定孔１９３が設けられている。２つの固定孔１９３は、側壁部１９２の軸方向に底部１９１を貫通している。
【００９０】
側壁部１９２には、第２中心軸線Ｌ２の周方向に等角度間隔（本実施形態では周方向に９０°間隔）となる４箇所に固定爪１９４が設けられている。各固定爪１９４は、側壁部１９２の軸方向に沿って側壁部１９２から下方に延びている。各固定爪１９４は、径方向に貫通した係止孔１９５を有する。これら固定爪１９４は、その先端が基端に対して側壁部１９２の径方向にずれるように弾性変形可能である。
【００９１】
側壁部１９２の内側には、アウタハウジング５１の上端部が内挿されている。更に、第１壁部１３１の上端面は底部１９１の下面に当接している。バックリテーナ１２３は、４つの固定爪１９４の係止孔１９５にアウタハウジング１２１の４つの固定凸部１３６が嵌ることにより、アウタハウジング１２１の上端部、即ち第１壁部１３１の上端部に固定されている。アウタハウジング１２１に固定されたバックリテーナ１２３は、その軸方向が第２中心軸線Ｌ２方向と一致する。
【００９２】
側壁部１９２の内側には、アウタハウジング１２１の第１壁部１３１よりも内側となる位置に、インナハウジング１２２の閉塞部１５２の上端部が内挿されている。閉塞部１５２の上面は底部１９１の下面に当接している。バックリテーナ１２３は、２つの固定孔１９３にインナハウジング１２２の２つの固定爪１５７が挿入されて係合されることにより、インナハウジング１２２の上端部に固定されている。底部１９１における固定孔１９３の外周部分の一部は、固定爪１５７の係止凸部１５８と閉塞部１５２の上面との間に挟持されている。インナハウジング１２２に固定されたバックリテーナ１２３は、その軸方向がインナハウジング１２２の第２壁部１５１の軸方向と一致する。
【００９３】
バックリテーナ１２３には、第１相手側端子１６０の上端部が挿入される導出凹部１９６が設けられている。導出凹部１９６は、バックリテーナ１２３の内側において第１相手側端子１６０と第２中心軸線Ｌ２方向に重なる部分に凹設されている。即ち、導出凹部１９６は、底部１１１において端子本体１６１と第２中心軸線Ｌ２方向に重なる部分を第２中心軸線Ｌ２方向から見て円形状に凹設した部分と、底部１１１において接続部１６２と第２中心軸線Ｌ２方向に重なる部分を第２中心軸線Ｌ２方向から見て帯状に凹設した部分とを有する。更に、導出凹部１９６は、側壁部１９２において接続部１６２と第２中心軸線Ｌ２方向に重なる部分を第２中心軸線Ｌ２と直交する方向に貫通した部分を有する。導出凹部１９６には、端子本体１６１の上端部及び接続部１６２が配置されるとともに、接続部１６２は、導出凹部１９６から第２ハウジング１２０の外部に突出している。
【００９４】
バックリテーナ１２３には、第２相手側端子１８０の端子本体１８１が挿通される挿通孔１９７が設けられている。挿通孔１９７は、２つの固定孔１９３の間で底部１９１の中央部を第２中心軸線Ｌ２方向に貫通するとともに、第２中心軸線Ｌ２方向から見た形状が円形状をなしている。挿通孔１９７は、貫通孔１５５と同軸上に位置する。挿通孔１９７の内径は、端子本体１８１の外径と等しいか若干大きい。端子本体１８１の上端面は、挿通孔１９７から第２ハウジング１２０の外部に露出している。そして、当該端子本体１８１の上端部に上記したようにバスバー１７３が接続されている。
【００９５】
［第１コネクタと第２コネクタとの接続に関する説明］
図１（ａ）、図４（ａ）、図４（ｂ）、図４（ｃ）及び図５を参照して、第１コネクタ４１と第２コネクタ４２とが接続される際の説明をする。第１コネクタ４１と第２コネクタ４２とは、第１中心軸線Ｌ１と第２中心軸線Ｌ２とが一致した状態、即ち、第１端子８０と第１相手側端子１６０とが同軸上に配置され且つ第２端子１００と第２相手側端子１８０とが同軸上に配置された状態で、第１コネクタ４１に対して第２コネクタ４２が接続方向Ｚ１に移動されることにより接続される。なお、第１中心軸線Ｌ１及び第２中心軸線Ｌ２は接続方向Ｚ１に延びており、第１中心軸線Ｌ１方向及び第２中心軸線Ｌ２方向は接続方向Ｚ１と平行である。このとき、第２コネクタ４２の接続方向Ｚ１の移動に伴って、第２ハウジング１２０の第１壁部１３１に第１ハウジング５０の第１壁部６１が挿入されるとともに、第２ハウジング１２０の第２壁部１５１に第１ハウジング５０の第２壁部９１が挿入される。また同時に、第１端子８０に第１相手側端子１６０の端子本体１６１が接続方向Ｚ１に沿って嵌入されるとともに、第２端子１００に第２相手側端子１８０の端子本体１８１が接続方向Ｚ１に沿って嵌入される。即ち、第１端子８０と第１相手側端子１６０とが嵌合されるとともに、第２端子１００と第２相手側端子１８０とが嵌合される。これにより、第１コネクタ４１と第２コネクタ４２とは、互いに接続された接続状態（即ち図１（ａ）に示す状態）となる。そして、コネクタ装置４０を介して電動車両２０とバッテリ３０とが電気的に接続される。
【００９６】
第１コネクタ４１と第２コネクタ４２とが接続されるときには、第１端子８０の各接触部８２は、第１相手側端子１６０の端子本体１６１によって、第１コネクタ４１と第２コネクタ４２とが接続されていない未接続状態のときの位置よりも第１接点部８６が第１中心軸線Ｌ１から遠ざかるように外周側に弾性変形される。そのため、第１コネクタ４１と第２コネクタ４２とが接続された接続状態においては、第１接点部８６は、接触部８２の弾性力により端子本体１６１の外周面に押し付けられた状態で第１相手側端子１６０に接触する。このように第１接点部８６が第１相手側端子１６０に接触することにより、第１端子８０と第１相手側端子１６０とが電気的に接続される。なお、本実施形態では、各接触部８２は、第１コネクタ４１と第２コネクタ４２とが接続される際に第１端子８０に端子本体１６１が挿入されることにより第１接点部８６が第１中心軸線Ｌ１から遠ざかるように外周側に移動されても、連結部８３の外周面より外側に出ない。
【００９７】
図４（ａ）、図４（ｂ）及び図５に示すように、第１端子８０の各接触部８２の第１接点部８６は、第１コネクタ４１と第２コネクタ４２とが接続された接続状態のときには、端子本体１６１の外周面に接触している。各接触部８２は、同状態のときに第１接点部８６が第１中心軸線Ｌ１と平行に延びるように形成されている。更に、円弧状に湾曲した第１接点部８６の曲率と、端子本体１６１の外周面の曲率とは等しい。そのため、第１接点部８６は、端子本体１６１の外周面と面接触する。
【００９８】
同様に、図１（ａ）に示すように、第１コネクタ４１と第２コネクタ４２とが接続されるときには、第２端子１００の各接触部１０２は、第２相手側端子１８０の端子本体１８１によって、未接続状態のときの位置よりも第２接点部１０６が第１中心軸線Ｌ１から遠ざかるように外周側に弾性変形される。そのため、第１コネクタ４１と第２コネクタ４２とが接続された接続状態においては、第２接点部１０６は、接触部１０２の弾性力により端子本体１８１の外周面に押し付けられた状態で第２相手側端子１８０に接触する。このように第２接点部１０６が第２相手側端子１８０に接触することにより、第２端子１００と第２相手側端子１８０とが電気的に接続される。なお、本実施形態では、各接触部１０２は、第１コネクタ４１と第２コネクタ４２とが接続される際に第２端子１００に端子本体１８１が挿入されることにより第２接点部１０６が第１中心軸線Ｌ１から遠ざかるように外周側に移動されても、連結部１０３の外周面より外側に出ない。
【００９９】
図４（ａ）、図４（ｃ）及び図５に示すように、第２端子１００の各接触部１０２の第２接点部１０６は、第１コネクタ４１と第２コネクタ４２とが接続された接続状態のときには、端子本体１８１の外周面に接触している。各接触部１０２は、同状態のときに第２接点部１０６が第１中心軸線Ｌ１と平行に延びるように形成されている。更に、円弧状に湾曲した第２接点部１０６の曲率と、端子本体１８１の外周面の曲率とは等しい。そのため、第２接点部１０６は、端子本体１８１の外周面と面接触する。
【０１００】
なお、本実施形態のコネクタ装置４０においては、第１コネクタ４１に備えられる第１端子８０は、第１中心軸線Ｌ１の周方向に並ぶ複数の第１接点部８６を有するとともに、当該第１端子８０に嵌入される第１相手側端子１６０の端子本体１６１は円柱状をなしている。同様に、第１コネクタ４１に備えられる第２端子１００は、第２中心軸線Ｌ２の周方向に並ぶ複数の第２接点部１０６を有するとともに、当該第２端子１００に嵌入される第２相手側端子１８０の端子本体１８１は円柱状をなしている。また、第１ハウジング５０及び第２ハウジング１２０において、接続時に互いに内挿もしくは外挿される第１壁部６１，１３１及び第２壁部９１，１５１は何れも第１中心軸線Ｌ１方向もしくは第２中心軸線Ｌ２方向に延びる円筒状をなしている。そのため、接続方向Ｚ１に延びる第１中心軸線Ｌ１周り（即ち、接続方向Ｚ１に延びる第２中心軸線Ｌ２回りに同じ）の第１コネクタ４１と第２コネクタ４２との相対回転位置が何れの位置であっても、第１コネクタ４１と第２コネクタ４２とを接続することができる。即ち、コネクタ装置４０においては、第１端子８０と第１相手側端子１６０との電気的な接続及び第２端子１００と第２相手側端子１８０との電気的な接続を可能にする、接続方向Ｚ１に延びる軸線回りの第１コネクタ４１と第２コネクタ４２との相対回転位置が複数ある。
【０１０１】
また、本実施形態のコネクタ装置４０においては、第１端子８０は、複数の第１接点部８６を有するため、複数箇所で第１相手側端子１６０に接触して電気的に接続されることになる。また、第２端子１００は、複数の第２接点部１０６を有するため、複数箇所で第２相手側端子１８０に接触して電気的に接続されることになる。そのため、例えば数十Ａ〜１００Ａ強の大電流がコネクタ装置４０に通された場合であっても、第１接点部８６及び第２接点部１０６が異常に発熱することが抑制される。
【０１０２】
第１コネクタ４１と第２コネクタ４２との接続を解除する際には、第２コネクタ４２を接続方向Ｚ１と反対方向に移動させて第１コネクタ４１から離す。すると、第１端子８０から第１相手側端子１６０が抜けるとともに、第２端子１００から第２相手側端子１８０が抜ける。これにより、第１端子８０と第１相手側端子１６０との電気的な接続が解除されるとともに、第２端子１００と第２相手側端子１８０との電気的な接続が解除される。同時に、第２ハウジング１２０の第１壁部１３１から第１ハウジング５０の第１壁部６１が抜けるとともに、第２ハウジング１２０の第２壁部１５１から第１ハウジング５０の第２壁部９１が抜ける。これにより、第１ハウジング５０と第２ハウジング１２０とが分離される。このようにして第１コネクタ４１と第２コネクタ４２との接続が解除されて、その結果、第１コネクタ４１及び第２コネクタ４２は、互いに接続されていない未接続状態となる。
【０１０３】
本実施形態の作用及び効果について説明する。
（１）第１端子８０の接触部８２は、第１中心軸線Ｌ１側を向き第２コネクタ４２が備える第１相手側端子１６０に接触する第１接点部８６を有するとともに、第１接点部８６と第１中心軸線Ｌ１との間の間隔が変化するように弾性変形可能である。また、第２端子１００の接触部１０２は、第１中心軸線Ｌ１側を向き第２コネクタ４２が備える第２相手側端子１８０に接触する第２接点部１０６を有するとともに、第２接点部１０６と第１中心軸線Ｌ１との間の間隔が変化するように弾性変形可能である。そして、接触部８２は、第１コネクタ４１と第２コネクタ４２とが接続されていない未接続状態のときに接触部８２の基端よりも第１接点部８６が第１中心軸線Ｌ１に近づくように傾斜している。また、接触部１０２は、第１コネクタ４１と第２コネクタ４２とが接続されていない未接続状態のときに接触部１０２の基端よりも第２接点部１０６が第１中心軸線Ｌ１に近づくように傾斜している。そのため、第１コネクタ４１と第２コネクタ４２との接続時において第１相手側端子１６０の表面に第１接点部８６が摺接した際に、第１相手側端子１６０の表面に付着した異物を第１接点部８６によって除去しやすくなる。また、第１コネクタ４１と第２コネクタ４２との接続時において第２相手側端子１８０の表面に第２接点部１０６が摺接した際に、第２相手側端子１８０の表面に付着した異物を第２接点部１０６によって除去しやすくなる。そして、第１接点部８６と第１中心軸線Ｌ１との間の間隔が広くなるように接触部８２を弾性変形させながら第１相手側端子１６０が第１端子８０に電気的に接続されることにより、第１接点部８６は、接触部８２の弾性力によって第１相手側端子１６０の表面に押し付けられる。また、第２接点部１０６と第１中心軸線Ｌ１との間の間隔が広くなるように接触部１０２を弾性変形させながら第２相手側端子１８０が第２端子１００に電気的に接続されることにより、第２接点部１０６は、接触部１０２の弾性力によって第２相手側端子１８０の表面に押し付けられる。従って、第１接点部８６と第１相手側端子１６０との間、並びに、第２接点部１０６と第２相手側端子１８０との間に異物が入り込み難くなる。その結果、第１端子８０と当該第１端子８０に電気的に接続される第１相手側端子１６０との間に異物が噛み込まれることを抑制できる。従って、第１相手側端子１６０の表面に付着した異物によってこれら第１端子８０と第１相手側端子１６０との電気的な接続が阻害されることが抑制される。また、第２端子１００と当該第２端子１００に電気的に接続される第２相手側端子１８０との間に異物が噛み込まれることを抑制できる。従って、第２相手側端子１８０の表面に付着した異物によってこれら第２端子１００と第２相手側端子１８０との電気的な接続が阻害されることが抑制される。
【０１０４】
（２）第１端子８０は４つの接触部８２を有する。また、第２端子１００は４つの接触部１０２を有する。そして、各接触部８２は第１接点部８６を１つ備えているため、第１端子８０は４つの第１接点部８６を有する。また、各接触部１０２は、第２接点部１０６を１つ備えているため、第２端子１００は４つの第２接点部１０６を有する。そのため、第１端子８０が第１接点部８６を１つのみ備える場合に比べて、第１端子８０と第１相手側端子１６０との接触抵抗を小さくすることができる。同様に、第２端子１００が第２接点部１０６を１つのみ備える場合に比べて、第２端子１００と第２相手側端子１８０との接触抵抗を小さくすることができる。そして、第１端子８０が第１接点部８６を１つのみ備える場合及び第２端子１００が第２接点部１０６を１つのみ備える場合に比べて、通電時における第１接点部８６及び第２接点部１０６の温度上昇を抑えることができる。また、第１端子８０が接触部８２を４つ有することにより、４つの接触部８２の第１接点部８６において第１相手側端子１６０の表面に付着した異物を除去可能である。従って、第１端子８０が接触部８２を１つのみ備える場合に比べて第１相手側端子１６０の表面の広い範囲の異物を除去できる。同様に、第２端子１００が接触部１０２を４つ有することにより、４つの接触部１０２の第２接点部１０６において第２相手側端子１８０の表面に付着した異物を除去可能である。従って、第２端子１００が接触部１０２を１つのみ備える場合に比べて第２相手側端子１８０の表面のより広い範囲の異物を除去できる。
【０１０５】
（３）第１コネクタ４１は、第１中心軸線Ｌ１の周方向に並ぶ複数の接触部８２を有する第１端子８０と、第１端子８０の接触部８２よりも内側で第１中心軸線Ｌ１の周方向に並ぶ複数の接触部１０２を有する第２端子１００との２種類の端子を備えている。即ち、第１端子８０の複数の接触部８２と第２端子１００の複数の接触部１０２とは、第１中心軸線Ｌ１を中心に同軸状に配置されている。このような２種類の端子を備えたコネクタにおいて、各端子８０，１００と当該各端子８０，１００に電気的に接続される相手側端子１６０，１８０との間に異物が噛み込まれることを抑制できる。
【０１０６】
（４）第１ハウジング５０は、第１中心軸線Ｌ１と平行に延び第１端子８０の接触部８２の外周に配置された第１壁部６１と、第１中心軸線Ｌ１と平行に延び第１端子８０の接触部８２と第２端子１００の接触部１０２との間に配置された第２壁部１５１とを有する。このため、第１壁部６１及び第２壁部１５１によって、接触部８２，１０２に異物が付着したり接触したりすることを抑制できる。
【０１０７】
（５）第１壁部６１は第１中心軸線Ｌ１を中心とした筒状をなすため、第１端子８０の複数の接触部８２及び第２端子１００の複数の接触部１０２の外周を囲むことができる。また、第２壁部１５１は、第１中心軸線Ｌ１を中心とした筒状をなすため、第１端子８０の複数の接触部８２に内周側から対向するとともに、第２端子１００の複数の接触部１０２の外周を囲むことができる。従って、これら第１壁部６１及び第２壁部１５１によって、接触部８２，１０２に異物が付着したり接触したりすることをより抑制できる。
【０１０８】
（６）第１接点部８６は、第１相手側端子１６０に接触した状態のときに第１中心軸線Ｌ１と平行に延びる。また、本実施形態では、第１相手側端子１６０の端子本体１６１の外周面は、第２中心軸線Ｌ２と平行、即ち接続方向Ｚ１と平行に延びている。更に、端子本体１６１の外周面の曲率と第１接点部８６の曲率とが等しい。そのため、第１接点部８６は、第１相手側端子１６０と面接触することができる。従って、第１接点部８６と第１相手側端子１６０との電気的な接続を安定させることができる。同様に、第２接点部１０６は、第２相手側端子１８０に接触した状態のときに第２中心軸線Ｌ２と平行に延びる。また、本実施形態では、第２相手側端子１８０の端子本体１８１の外周面は、第２中心軸線Ｌ２と平行、即ち接続方向Ｚ１と平行に延びている。更に、端子本体１８１の外周面の曲率と第２接点部１０６の曲率とが等しい。そのため、第２接点部１０６は、第２相手側端子１８０と面接触することができる。従って、第２接点部１０６と第２相手側端子１８０との電気的な接続を安定させることができる。
【０１０９】
（７）コネクタ装置４０においては、第１端子８０と第１相手側端子１６０との電気的な接続及び第２端子１００と第２相手側端子１８０との電気的な接続を可能にする、接続方向Ｚ１に延びる軸線回りの第１コネクタ４１と第２コネクタ４２との相対回転位置が複数ある。そのため、第１コネクタ４１と第２コネクタ４２とを接続可能な状態で対向させることが容易になる。従って、コネクタ装置４０を介して電動車両２０とバッテリ３０とを電気的に接続することが容易になる。
【０１１０】
（８）第１端子８０は、接続部材７１が電気的に接続されるベース部８１と、第１相手側端子１６０に接触する第１接点部８６を有する接触部８２とが一体に形成されている。従って、例えば、第１端子が、導電性材料よりなり接続部材が接続される筒状の接点収容部と、この接点収容部の内部に収容され同接点収容部と電気的に接続された接点部材とから構成される場合に比べて部品点数を減少させることができる。また、ベース部８１と接触部８２とが一体に形成された第１端子８０は、プレス加工により形成することができる。これに対し、上記の接点収容部と接点部材とを備えた第１端子は、接点部材はプレス加工で形成される一方、接点収容部は切削加工で形成されることが多い。切削加工はプレス加工に比べて製造コストが高くなる。従って、本実施形態の第１端子８０は、プレス加工で形成することにより、接点収容部と接点部材とを備えた第１端子に比べて安価に製造することができる。更に、ベース部８１と接触部８２とが一体に形成された第１端子８０は、上記の接点収容部と接点部材とを備えた第１端子の当該接点部材に比べて厚さを厚くしやすい。従って、本実施形態の第１端子８０は、接点収容部と接点部材とを備えた第１端子に比べて導電抵抗を小さくしやすい。第２端子１００についても同様の効果が得られる。
【０１１１】
（９）第１端子８０の複数の接触部８２は、第１コネクタ４１と第２コネクタ４２とが接続されていない未接続状態のときに接触部８２の基端よりも第１接点部８６が第１中心軸線Ｌ１に近づくように傾斜している。そのため、第１端子８０において、接触部８２の先端部は連結部８３よりも内側に位置する。従って、接触部８２の先端部付近において、第１壁部６１を同第１壁部６１の径方向に小型化することが可能になる。その結果、接触部８２の先端部付近において、第１コネクタ４１を第１中心軸線Ｌ１と直交する方向に小型化することが可能になる。
【０１１２】
本実施形態は、以下のように変更して実施することができる。本実施形態及び以下の変更例は、技術的に矛盾しない範囲で互いに組み合わせて実施することができる。
・上記実施形態のコネクタ装置４０においては、第１端子８０と第１相手側端子１６０との電気的な接続及び第２端子１００と第２相手側端子１８０との電気的な接続を可能にする、接続方向Ｚ１に延びる軸線回りの第１コネクタ４１と第２コネクタ４２との相対回転位置が複数ある。しかしながら、第１端子８０と第１相手側端子１６０との電気的な接続及び第２端子１００と第２相手側端子１８０との電気的な接続を可能にする、接続方向Ｚ１に延びる軸線回りの第１コネクタ４１と第２コネクタ４２との相対回転位置は、少なくとも１つあればよい。例えば、上記実施形態の第１コネクタ４１において第１壁部６１を第１中心軸線Ｌ１と平行に延びる正四角筒状とするとともに、第２コネクタ４２において第１壁部１３１を第２中心軸線Ｌ２と平行に延び第１壁部６１を内嵌可能な正四角筒状としてもよい。このようにすると、第１端子８０と第１相手側端子１６０との電気的な接続及び第２端子１００と第２相手側端子１８０との電気的な接続を可能にする、接続方向Ｚ１に延びる軸線回りの第１コネクタ４１と第２コネクタ４２との相対回転位置は、４つになる。この例に限らず、第１壁部６１，１３１及び第２壁部９１，１５１の形状を、多角筒状、楕円筒状、第１中心軸線Ｌ１方向視競走路形状の筒状、第１中心軸線Ｌ１方向視Ｄ形状（即ち円の一部が平面状に切り欠かれた形状）の筒状等の非円筒状等に適宜変更することで、当該相対回転位置の数を１つもしくは複数とすることができる。
【０１１３】
・接触部８２及び接触部１０２の先端部の形状は、上記実施形態の形状に限らない。また、第１接点部８６は、必ずしも接触部８２の先端に位置していなくてもよい。同様に、第２接点部１０６は、必ずしも接触部１０２の先端に位置していなくてもよい。
【０１１４】
例えば、図６（ａ）及び図６（ｂ）に示す第２端子１００Ａの接触部１０２Ａは、接触部１０２Ａにおける第２接点部１０６よりも先端側の部分に導入部１０８を有する。なお、図６（ａ）及び図６（ｂ）では、複数ある接触部１０２Ａのうち１つのみを図示している。また、本例では、上記実施形態と同一の構成及び対応する構成に同一の符号を付してその説明を省略する。第２接点部１０６は、接触部１０２Ａにおいて接触部１０２Ａの先端から同接触部１０２Ａの基端側に寄った位置に設けられている。導入部１０８は、第２接点部１０６の上端から接触部１０２Ａの先端に向かうにつれて第１中心軸線Ｌ１から遠ざかるように傾斜している。このようにした場合、第２相手側端子１８０は、第１コネクタ４１と第２コネクタ４２とが接続されるときに接続方向Ｚ１から導入部１０８に当接することにより、第２接点部１０６と第１中心軸線Ｌ１との間の間隔が広くなるように接触部１０２Ａを容易に弾性変形させることができる。従って、第２端子１００Ａと第２相手側端子１８０とを接続しやすくなる。なお、第１端子８０の接触部８２に導入部１０８を設けてもよい。その場合にも同様の効果を得ることができる。
【０１１５】
・上記実施形態では、第１接点部８６は、第１相手側端子１６０の端子本体１６１の外周面の曲率と等しい曲率を有するとともに、第１相手側端子１６０に接触した状態のときに第１中心軸線Ｌ１と平行に延びる。また、第２接点部１０６は、第２相手側端子１８０の端子本体１８１の外周面の曲率と等しい曲率を有するとともに、第２相手側端子１８０に接触した状態のときに第２中心軸線Ｌ２と平行に延びる。しかしながら、第１接点部８６及び第２接点部１０６の形状はこれに限らない。
【０１１６】
例えば、図７（ａ）及び図７（ｂ）に示す第２端子１００Ｂの第２接点部１０６Ｂは、第１中心軸線Ｌ１方向から見て第２相手側端子１８０の端子本体１８１の外周面より小さい曲率の円弧状をなしている。更に、第２接点部１０６Ｂは、第２相手側端子１８０に接触した状態のときに第２中心軸線Ｌ２と平行に延びる。なお、図７（ａ）及び図７（ｂ）では、複数ある接触部１０２のうち１つのみを図示している。また、本例では、上記実施形態と同一の構成及び対応する構成に同一の符号を付してその説明を省略する。このようにすると、第１コネクタ４１と第２コネクタ４２とが接続されたときに、第２接点部１０６Ｂは、第２相手側端子１８０と線接触することができる。従って、第２接点部１０６Ｂと第２相手側端子１８０との電気的な接続を安定させることができる。
【０１１７】
また例えば、図８（ａ）及び図８（ｂ）に示す第２端子１００Ｃの第２接点部１０６Ｃは、第１中心軸線Ｌ１側を向いた平面状をなしている。更に、第２接点部１０６Ｃは、第２相手側端子１８０に接触した状態のときに第２中心軸線Ｌ２と平行に延びる。また、接触部１０２Ｃにおける第２接点部１０６Ｃよりも基端側の部分は平板状をなしている。なお、図８（ａ）及び図８（ｂ）では、複数ある接触部１０２Ｃのうち１つのみを図示している。また、本例では、上記実施形態と同一の構成及び対応する構成に同一の符号を付してその説明を省略する。このようにすると、第１コネクタ４１と第２コネクタ４２とが接続されたときに、第２接点部１０６Ｃは、第２相手側端子１８０と線接触することができる。従って、第２接点部１０６Ｃと第２相手側端子１８０との電気的な接続を安定させることができる。
【０１１８】
また例えば、図９（ａ）及び図９（ｂ）に示す第２端子１００Ｄの接触部１０２Ｄは、第１中心軸線Ｌ１の周方向から見て第１中心軸線Ｌ１側に膨らむ円弧面１０９を有する。なお、図９（ａ）及び図９（ｂ）では、複数ある接触部１０２Ｄのうち１つのみを図示している。また、本例では、上記実施形態と同一の構成及び対応する構成に同一の符号を付してその説明を省略する。円弧面１０９は第１中心軸線Ｌ１側を向いている。また、円弧面１０９は、外周側に凹むとともに、第２相手側端子１８０の端子本体１８１の外周面の曲率と等しい曲率の円弧状をなす部分を有している。第２接点部１０６Ｄは、この円弧面１０９上に位置する。このようにすると、振動等により第２相手側端子１８０に対する接触部１０２Ｄの姿勢が変化した場合であっても、第２接点部１０６Ｄと第２相手側端子１８０との接触状態が変化し難くなる。
【０１１９】
また例えば、図１０（ａ）及び図１０（ｂ）に示す第２端子１００Ｅの接触部１０２Ｅは、第１中心軸線Ｌ１の周方向から見て第１中心軸線Ｌ１側に膨らむ円弧面１０９Ｅを有する。なお、図１０（ａ）及び図１０（ｂ）では、複数ある接触部１０２Ｅのうち１つのみを図示している。また、本例では、上記実施形態と同一の構成及び対応する構成に同一の符号を付してその説明を省略する。円弧面１０９Ｅは第１中心軸線Ｌ１側を向いている。また、円弧面１０９Ｅは、外周側に凹むとともに、第１中心軸線Ｌ１方向から見て第２相手側端子１８０の端子本体１８１の外周面よりも小さい曲率の円弧状をなしている。第２接点部１０６Ｅは、この円弧面１０９Ｅ上に位置する。このようにすると、振動等により第２相手側端子１８０に対する接触部１０２Ｅの姿勢が変化した場合であっても、第２接点部１０６Ｅと第２相手側端子１８０との接触状態が変化し難くなる。
【０１２０】
また例えば、図１１（ａ）及び図１１（ｂ）に示す第２端子１００Ｆの接触部１０２Ｆは、第１中心軸線Ｌ１の周方向から見て第１中心軸線Ｌ１側に膨らむ円弧面１０９Ｆを有する。なお、図１０（ａ）及び図１０（ｂ）では、複数ある接触部１０２Ｅのうち１つのみを図示している。また、本例では、上記実施形態と同一の構成及び対応する構成に同一の符号を付してその説明を省略する。接触部１０２Ｆにおける円弧面１０９Ｆよりも基端側の部分は平板状をなしている。円弧面１０９Ｆは第１中心軸線Ｌ１側を向いている。また、円弧面１０９Ｆは、第１中心軸線Ｌ１方向から見て第２相手側端子１８０の外周面に点接触可能な直線状をなしている。第２接点部１０６Ｆは、この円弧面１０９Ｆ上に位置する。このようにすると、振動等により第２相手側端子１８０に対する接触部１０２Ｆの姿勢が変化した場合であっても、第２接点部１０６Ｆと第２相手側端子１８０との接触状態が変化し難くなる。
【０１２１】
第１端子８０の第１接点部８６を上記各例と同様に変更してもよい。その場合にも上記と同様の効果を得ることができる。
・上記実施形態では、第１ハウジング５０において、第１壁部６１と第２壁部９１とは、第１中心軸線Ｌ１を中心とした同心の筒状をなしている。しかしながら、第１壁部６１と第２壁部９１とは、必ずしも第１中心軸線Ｌ１を中心とした同心の筒状をなさなくてもよい。第１壁部６１は、第１中心軸線Ｌ１と平行に延び第１端子８０の接触部８２の外周に配置されていればよい。また、第２壁部１５１は、第１中心軸線Ｌ１と平行に延び第１端子８０の接触部８２と第２端子１００の接触部１０２との間に配置されていればよい。従って、例えば、第１壁部６１及び第２壁部９１は、第１中心軸線Ｌ１と平行に延びる板状の壁が第１中心軸線Ｌ１の周方向に複数配置されたものであってもよい。また例えば、第１壁部６１及び第２壁部９１は、第１中心軸線Ｌ１と平行に延びる平板状をなしていてもよい。なお、第２ハウジング１２０の第１壁部１３１及び第２壁部１５１は、第１コネクタ４１と第２コネクタ４２とを接続できるように第１壁部６１及び第２壁部９１の形状に応じて適宜形状を変更したり省略したりすることができる。
【０１２２】
・第１ハウジング５０は、必ずしも第１壁部６１及び第２壁部９１を備えなくてもよい。
・上記実施形態では、第１コネクタ４１は、第１中心軸線Ｌ１の周方向に並ぶ複数の接触部８２を有する第１端子８０と、第１端子８０の接触部８２よりも内側で第１中心軸線Ｌ１の周方向に並ぶ複数の接触部１０２を有する第２端子１００との２種類の端子を備えている。また、第１コネクタ４１は、第１端子８０及び第２端子１００をそれぞれ１つずつ備えている。しかしながら、第１コネクタ４１に備えられる端子の種類及び数はこれに限らない。例えば、第１コネクタ４１は、第１端子８０と第２端子１００とを複数個ずつ備えていてもよい。また、第１コネクタ４１は、第１端子８０の接触部８２よりも外側で第１中心軸線Ｌ１の周方向に並ぶ複数の接触部を有する第３端子を備えていてもよい。そして、第２コネクタ４２に備えられる相手側端子の数及び種類は、第１コネクタ４１に備えられる端子の数及び種類に応じて、第１コネクタ４１と第２コネクタ４２とを接続できるように適宜変更してよい。
【０１２３】
・上記実施形態では、第１端子８０は４つの接触部８２を有する。しかしながら、第１端子８０が有する接触部８２の数はこれに限らない。第１端子８０は接触部８２を１つ以上備えていればよい。また、上記実施形態では、第２端子１００は４つの接触部１０２を有する。しかしながら、第２端子１００が有する接触部１０２の数はこれに限らない。第２端子１００は接触部１０２を１つ以上備えていればよい。
【０１２４】
・上記実施形態では、第１端子８０の各接触部８２は、第１接点部８６を１つずつ有する。しかしながら、各接触部８２は、それぞれ複数の第１接点部８６を有するものであってもよい。同様に、第２端子１００の各接触部１０２は、それぞれ複数の第２接点部１０６を有するものであってもよい。
【０１２５】
・第１端子８０のベース部８１の形状及び第２端子１００のベース部１０１の形状は、上記実施形態の形状に限らない。例えば、連結部８３，１０３は、多角筒状をなすものや、第１中心軸線Ｌ１方向から見た形状がＣ形状をなすもの等、非円筒状をなすものであってもよい。また、接続部８４，１０４は、接続部材７１，７２をかしめることにより接続部材７１，７２を電気的に接続できる形状に形成されてもよい。
【０１２６】
・上記実施形態では、第１端子８０及び第２端子１００は、プレス加工により形成されている。しかしながら、第１端子８０及び第２端子１００は、プレス加工に限らず、例えば切削加工や鋳造等により形成されたものであってもよい。
【０１２７】
・上記実施形態では、第１端子８０、第２端子１００、第１相手側端子１６０及び第２相手側端子１８０は、何れも銅または銅合金よりなるが、銅及び銅合金以外の導電性の金属材料よりなるものであってもよい。例えば、第１端子８０、第２端子１００、第１相手側端子１６０及び第２相手側端子１８０は、アルミニウムまたはアルミニウム合金よりなるものであってもよい。
【０１２８】
・上記実施形態では、第１コネクタ４１において、第１端子８０は、第１壁部６１に内挿されることによりアウタハウジング５１に保持されている。また、第２端子１００は、第２壁部９１に内挿されることによりインナハウジング５２に保持されている。しかしながら、第１端子８０は、アウタハウジング５１にインサート成形されることにより同アウタハウジング５１に保持されてもよい。また、第２端子１００は、インナハウジング５２にインサート成形されることにより同インナハウジング５２に保持されてもよい。また、第１端子８０及び第２端子１００の少なくとも一方は、その一部がバックリテーナ５３にインサート成形されてもよい。
【０１２９】
同様に、第２コネクタ４２において、第１相手側端子１６０は、アウタハウジング１２１にインサート成形されることにより同アウタハウジング１２１に保持されてもよい。また、第２コネクタ４２において、第２相手側端子１８０は、インナハウジング１２２にインサート成形されることにより同インナハウジング１２２に保持されてもよい。また、第２コネクタ４２において、第１相手側端子１６０及び第２相手側端子１８０の両方がインナハウジング１２２にインサート成形されることにより、第１相手側端子１６０及び第２相手側端子１８０の両方が同インナハウジング１２２に保持されてもよい。また、第１相手側端子１６０及び第２相手側端子１８０の少なくとも一方は、その一部がバックリテーナ１２３にインサート成形されてもよい。
【０１３０】
・上記実施形態では、第１ハウジング５０は、アウタハウジング５１と、インナハウジング５２と、バックリテーナ５３とから構成されている。しかしながら、第１ハウジング５０の構成はこれに限らない。例えば、第１ハウジング５０は、アウタハウジング５１、インナハウジング５２、及びバックリテーナ５３のうち少なくとも２つが一体に形成されていてもよい。この場合、第１端子８０及び第２端子１００は、第１ハウジング５０の構成部品にインサート成形されてもよいし、別体で形成されて組み付けられてもよい。また、アウタハウジング５１、インナハウジング５２、及びバックリテーナ５３の少なくとも１つは、２つ以上の部品を組み付けて構成されたものであってもよい。これらは、上記実施形態の第２ハウジング１２０についても同様である。
【０１３１】
・第１ハウジング５０の形状は、上記実施形態の形状に限らず、接続方向Ｚ１に延びる第１中心軸線Ｌ１を有する形状であればよい。なお、第１中心軸線Ｌ１は、接続方向Ｚ１から見た第１ハウジングの中心、第１ハウジング５０の重心、及び、接続方向Ｚ１から見た第１ハウジング５０における第１端子８０及び第２端子１００を保持する部分の中心のうちの少なくとも１つを通り接続方向Ｚ１に延びる仮想線を含む。因みに、上記実施形態では、第１ハウジング５０における第１端子８０及び第２端子１００を保持する部分は、第１壁部６１及び第２壁部９１に該当する。また、第２ハウジング１２０についても同様に、上記実施形態の形状に限らず、接続方向Ｚ１に延びる第２中心軸線Ｌ２を有する形状であればよい。なお、第２中心軸線Ｌ２は、接続方向Ｚ１から見た第２ハウジングの中心、第２ハウジング１２０の重心、及び、接続方向Ｚ１から見た第２ハウジング１２０における第１相手側端子１６０及び第２相手側端子１８０を保持する部分の中心のうちの少なくとも１つを通り接続方向Ｚ１に延びる仮想線を含む。
【０１３２】
・上記実施形態では、接続部材７１，７２はいずれも電線である。しかしながら、接続部材７１，７２は電線に限らない。接続部材７１，７２は、例えば、導電性の金属板材にプレス加工を施して形成されたバスバーや、導電性の金属材料に切削加工を施して形成さればバスバーや、プレス加工及び切削加工に限らず鋳造等により形成されたバスバーであってもよい。
【０１３３】
・上記実施形態では、第１コネクタ４１において、外周側に位置する第１端子８０は陰極の端子であり、内周側に位置する第２端子１００は陽極の端子である。しかしながら、外周側に位置する第１端子８０を陽極の端子とするとともに、内周側に位置する第２端子１００を陰極の端子としてもよい。この場合、第２コネクタ４２において、外周側に位置する第１相手側端子１６０を陽極の端子とするとともに、内周側に位置する第２相手側端子１８０を陰極の端子とする。
【０１３４】
・上記実施形態では、第１コネクタ４１が電動車両２０に電気的に接続されるとともに、第２コネクタ４２がバッテリ３０に電気的に接続されている。しかしながら、第２コネクタ４２が電動車両２０に電気的に接続されるとともに、第１コネクタ４１がバッテリ３０に電気的に接続されてもよい。この場合、第１コネクタ４１からバッテリ３０の内部に水等の液体が浸入することを抑制する止水構造を同第１コネクタ４１に設けることが好ましい。更に、第１コネクタ４１とバッテリ３０のケース３１との間から水等の液体がバッテリ３０の内部に浸入することを抑制する止水構造を設けることが好ましい。
【０１３５】
・上記実施形態では、第１コネクタ４１は、車体２１に固定されている。しかしながら、第１コネクタ４１は、車体２１に直接固定される以外に、車体２１に固定もしくは搭載されたインバータ等の機器に固定されることにより、当該機器を介して車体２１に間接的に固定されてもよい。
【０１３６】
・上記実施形態では、コネクタ装置４０は、例えば電動二輪車である電動車両２０とバッテリ３０とを電気的に接続するために用いられている。コネクタ装置４０によってバッテリ３０と電気的に接続される電動装置はこれに限らない。電動装置は、例えば、電動の三輪車や電動の四輪車等であってもよい。
【符号の説明】
【０１３７】
２０…電動装置としての電動車両
２１…車体
２２…装着孔
２３…ボルト
３０…バッテリ
３２…装着孔
３３…ボルト
３１…ケース
４０…コネクタ装置
４１…コネクタとしての第１コネクタ
４２…相手側コネクタとしての第２コネクタ
５０…ハウジングとしての第１ハウジング
５１…アウタハウジング
５２…インナハウジング
５３…バックリテーナ
６１…第１壁部
６２…当接部
６３…固定部
６４…固定孔
６５…カラー
６６…延出部
６７…固定凸部
６８…被覆部
７１，７２…接続部材
８０…端子としての第１端子
８１…ベース部
８２…接触部
８３…連結部
８４…接続部
８５…第１接点凸部
８６…接点部としての第１接点部
９１…第２壁部
９２…支持部
９３…第１挿通凹部
９４…第２挿通凹部
９５…固定爪
９６…係止凸部
９７…被覆部
１００，１００Ａ，１００Ｂ，１００Ｃ，１００Ｄ，１００Ｅ，１００Ｆ…端子としての第２端子
１０１…ベース部
１０２，１０２Ａ，１０２Ｃ，１０２Ｄ，１０２Ｅ，１０２Ｆ…接触部
１０３…連結部
１０４…接続部
１０５…第２接点凸部
１０６，１０６Ｂ，１０６Ｃ，１０６Ｄ，１０６Ｅ，１０６Ｆ…接点部としての第２接点部
１０８…導入部
１０９，１０９Ｅ，１０９Ｆ…円弧面
１１１…底部
１１２ａ，１１２ｂ，１１２ｃ，１１２ｄ…側壁部
１１３…固定爪
１１４…係止孔
１１５…固定孔
１１６…当接壁
１２０…第２ハウジング
１２１…アウタハウジング
１２２…インナハウジング
１２３…バックリテーナ
１３１…第１壁部
１３２…固定部
１３３…固定孔
１３４…カラー
１３５…収容溝
１３６…固定凸部
１３７…支持凸部
１４１…防水部材
１４２…防水部材
１４３…押さえ部材
１４４…防水部材
１４５…防水部材
１５１…第２壁部
１５２…閉塞部
１５３…被覆部
１５４…収容溝
１５５…貫通孔
１５６…位置決め凹部
１５７…固定爪
１５８…係止凸部
１６０…相手側端子としての第１相手側端子
１６１…端子本体
１６２…接続部
１７１…バスバー
１７２…電線
１７３…バスバー
１７４…電線
１７５…ボルト
１８０…相手側端子としての第２相手側端子
１８１…端子本体
１８２…位置決め部
１８３…キャップ
１８４…収容溝
１８５…螺子穴
１９１…底部
１９２…側壁部
１９３…固定孔
１９４…固定爪
１９５…係止孔
１９６…導出凹部
１９７…挿通孔
Ｌ１…中心軸線としての第１中心軸線
Ｌ２…第２中心軸線
Ｚ１…接続方向
【図１】
2020149852.tif 000003
【図２】
2020149852.tif 000004
【図３】
2020149852.tif 000005
【図４】
2020149852.tif 000006
【図５】
2020149852.tif 000007
【図６】
2020149852.tif 000008
【図７】
2020149852.tif 000009
【図８】
2020149852.tif 000010
【図９】
2020149852.tif 000011
【図１０】
2020149852.tif 000012
【図１１】
2020149852.tif 000013